(57)【要約】【課題】少ない部品点数で乳幼児の腹部の圧迫を防止し得る股パッドを提供する。【解決手段】股パッド１０は、育児器具の座席の座面上に配置されるものであり、乳幼児の脚の間を延びる中央柱部１１と、中央柱部１１の上端から両側方に向かって分岐し、座面近傍にまで延びている１対の分岐柱部１２とを備える。【選択図】        図３
2004350770.tif 000002
【特許請求の範囲】
【請求項１】
育児器具の座席の座面上に配置される股パッドであって、
乳幼児の両脚の間を上方に延びる中央柱部と、
前記中央柱部の上端から両側方に向かって分岐し、座面近傍にまで延びている１対の分岐柱部とを備える、育児器具の座席の股パッド。
【請求項２】
前記中央柱部と前記１対の分岐柱部とによって、３脚アーチ形状が形成されている、請求項１に記載の育児器具の座席の股パッド。
【請求項３】
前記各分岐柱部は、しゃもじ形状を有している、請求項１または２に記載の育児器具の座席の股パッド。
【請求項４】
前記中央柱部と前記各分岐柱部とを連続的につなぐ外側輪郭線は、上方に向かって滑らかに突出した湾曲形状を有している、請求項１〜３のいずれかに記載の育児器具の座席の股パッド。
【請求項５】
前記１対の分岐柱部を連続的につなぐ外側輪郭線は、前記中央柱部側に向かって滑らかに突出した湾曲形状を有している、請求項１〜４のいずれかに記載の育児器具の座席の股パッド。
【発明の詳細な説明】
【０００１】
【発明の属する技術分野】
この発明は、育児器具の座席の座面上に配置される股パッドに関し、特に股ベルトおよび腰ベルトによるお腹への圧迫を防止し得る股パッドに関するものである。
【０００２】
【従来の技術】
腰ベルトおよび股ベルトを備えた座席付き育児器具として、チャイルドシート、乳母車、ベビーラック等がある。これらの育児器具においては、腰ベルトおよび股ベルトによって、乳幼児の腹部を過度に圧迫しないようにすることが望まれる。
【０００３】
本願と同一の出願人は、特開２００３−４０００５号公報に「育児器具の下半身保護構造および下半身保護パッド」を開示した。この公報には、育児器具の一例として、チャイルドシートが記載されている。
【０００４】
特開２００３−４０００５号公報に開示されたチャイルドシートでは、腰ベルトと赤ちゃんの側部との間に自立可能な側部パッドが設けられ、さらに股ベルトと赤ちゃんの股部との間に自立可能な股部パッドが設けられている。
【０００５】
【特許文献１】
特開２００３−４０００５号公報
【０００６】
【発明が解決しようとする課題】
特開２００３−４０００５号公報に開示された下半身保護構造では、１個の股部パッドおよび２個の側部パッドの合計３個のパッドにより、赤ちゃんの腹部への圧迫を避けるようにしている。３個のパッドを必要とするのは、種々の点で煩雑である。例えば、３個のパッドをそれぞれ対応するベルトに取付ける作業は煩雑であり、また部品数の多さから部品管理も煩雑となる。
【０００７】
この発明の目的は、少ない部品点数で乳幼児の腹部の圧迫を防止し得る股パッドを提供することである。
【０００８】
【課題を解決するための手段】
この発明は、育児器具の座席の座面上に配置される股パッドであって、次のことを特徴とする。すなわち、股パッドは、乳幼児の両脚の間を上方に延びる中央柱部と、この中央柱部の上端から両側方に向かって分岐し、座面近傍にまで延びている１対の分岐柱部とを備える。
【０００９】
上記構成によれば、股パッドが座面近傍にまで延びる１対の分岐柱部を有しているので、部品点数を少なくすることができる。好ましくは、中央柱部と１対の分岐柱部とは、同一素材で一体的に設けられる。
【００１０】
本明細書において「分岐柱部が座面近傍にまで延びる」とは、分岐柱部の先端が座面に近接して位置すること、および分岐柱部の先端が座面に当接していることの両者を含むものとして理解されねばならない。
【００１１】
なお、この発明に従った股パッドは、チャイルドシート、乳母車、ベビーラック等の座席付き育児器具の座面上に配置されるものであるが、後に記載する実施の形態では、育児器具として例示的にチャイルドシートを説明する。
【００１２】
好ましくは、中央柱部と１対の分岐柱部とによって、３脚アーチ形状が形成される。股パッドは、この３脚アーチ形状を適正に維持するために、適度な保形性を有するのが望ましい。１対の分岐柱部は座面近傍にまで延びているので、股パッドの僅かな動きで各分岐柱部の先端が座面に当接し、安定したアーチ形状を維持できる。これにより、乳幼児の腹部への圧迫を避けることができる。
【００１３】
一つの実施形態では、各分岐柱部は、しゃもじ形状を有している。「しゃもじ」とはご飯をよそうのに使用する道具であり、「しゃもじ形状」とは、「しゃもじ」のような形状を意味する。具体的には、柱の基部の幅が狭く、中央部分から先端にかけて大きな楕円形または円形を有する形状である。各分岐柱部がしゃもじ形状を有することにより、各分岐部の起立状態を安定に維持できる。また、分岐柱部が乳幼児の腰部を大きな面積で覆うことになるので、安全上好ましい。
【００１４】
好ましい実施形態では、中央柱部と各分岐柱部とを連続的につなぐ外側輪郭線は、上方に向かって滑らかに突出した湾曲形状を有している。乳幼児の各脚は、この湾曲形状の外側輪郭線の下を通る。
【００１５】
さらに好ましい実施形態では、１対の分岐柱部を連続的につなぐ外側輪郭線は、中央柱部側に向かって滑らかに突出した湾曲形状を有している。股ベルトに連結されたバックル部品は、例えば、この外側輪郭線の上に露出する。
【００１６】
【発明の実施の形態】
座席付き育児器具の一つの例として、チャイルドシートを説明する。
【００１７】
図１および図２は、この発明の一実施形態である股パッド１０が座面上に配置されている状態を示している。また、図３は、股パッド１０を単独で示し、図４は、股パッド１０が股ベルトに取付けられている状態の断面図を示している。
【００１８】
図１に示すチャイルドシート１には、１対の肩ベルト３、１対の腰ベルトおよび股ベルトからなる５点式安全ベルトが装備されている。図では、腰ベルトおよび股ベルトの存在は、股パッド１０によって隠れて見えない。各肩ベルト３と各腰ベルトとは連続しており、その先端にバックルの一方要素である差込具４が取付けられている。チャイルドシート１の座面２から上方に延びている股ベルト６（図４参照）の先端には、バックルの他方要素である受入具５が取付けられている。差込具４および受入具５を係合させることにより、乳幼児の身体を安全ベルトで拘束できるようになる。
【００１９】
図３に示すように、股パッド１０は、乳幼児の両脚の間を上方に延びる中央柱部１１と、中央柱部１１の上端から両側方に向かって分岐し、座面２の近傍にまで延びている１対の分岐柱部１２とを備える。中央柱部１１と１対の分岐柱部１２とは、同一の素材で一体的に設けられており、しかも図示するような３脚アーチ形状を有するように成形されている。股パッド１０は、この３脚アーチ形状を安定して維持することができるように、適度な保形性を有する素材で形成する。
【００２０】
中央柱部１１と各分岐柱部１２とによって外側に膨らんだアーチ形状が形成され、さらに１対の分岐柱部１２によって外側に膨らんだアーチ形状が形成されるので、股パッド１０によって保持されている安全ベルトが乳幼児の腹部を圧迫するのを防止できる。
【００２１】
１対の分岐柱部１２の先端は座面２の近傍にまで延びているので、安全ベルトがきつく締まりかけて股パッド１０が僅かに動くと、各分岐柱部１２の先端が座面２に当接し、３脚アーチ形状を安定して維持する。
【００２２】
各分岐柱部１２は、しゃもじ形状を有している。このようなしゃもじ形状により、各分岐柱部１２の起立状態を安定して維持するとともに、乳幼児の腰部を大きな面積で保護することができる。
【００２３】
図示した実施形態では、中央柱部１１と各分岐柱部１２とを連続的につなぐ外側輪郭線１３は、上方に向かって滑らかに突出した湾曲形状を有している。乳幼児の脚は、この外側輪郭線１３の下を通る。また、１対の分岐柱部１２を連続的につなぐ外側輪郭線１４は、中央柱部１１側に向かって滑らかに突出した湾曲形状を有している。股ベルト６に連結されたバックルの受入具５は、この外側輪郭線１４の上に露出する。
【００２４】
股パッド１０は、適当な接続手段を介して、股ベルトに連結される。図示した実施形態では、股パッド１０は、連結バンド２０によって股ベルト６に取付けられている。股パッド１０の中央柱部１１は股ベルト６の前方に沿うように位置し、連結バンド２０は股ベルト６および中央柱部１１をともに包むことにより両者を連結している。この包み状態は、止めボタン２１を止めることによって維持される。
【００２５】
バックルの受入具５が直接乳幼児の身体に触れるのを避けるために、連結バンド２０は、受入具５の背面に位置する裏当てパッド２２を含む。なお、股パッド１０自体に、股ベルト６への接続手段を設けるようにしてもよい。
【００２６】
以上、図面を参照してこの発明の一実施形態を説明したが、この発明は、図示された実施形態に限定されるものではない。この発明と同一の範囲内において、あるいは均等の範囲内において、図示した実施形態に対して種々の修正や変更を加えることが可能である。
【図面の簡単な説明】
【図１】この発明の一実施形態の股パッドが装着されているチャイルドシートを示す斜視図である。
【図２】装着状態にある股パッドを前方から見た図である。
【図３】股パッドを単独で示す斜視図である。
【図４】装着状態にある股パッドを示す断面図である。
【符号の説明】
１  チャイルドシート、２  座面、３  肩ベルト部、４  差込具、５  受入具、６  股ベルト、１０  股パッド、１１  中央柱部、１２  分岐柱部、１３  外側輪郭線、１４  外側輪郭線、２０  連結バンド、２１  止めボタン、２２  裏当てパッド。
【図１】
2004350770.tif 000003
【図２】
2004350770.tif 000004
【図３】
2004350770.tif 000005
【図４】
2004350770.tif 000006